(57)【要約】【課題】把持部を握る作業者の手が結線作業の妨げとなるのを防ぐことができる結線用工具及びその収納ケースを提供する。【解決手段】複数本の電線４ａを同一シースに被覆して成るモジュラケーブル４の電線４ａを圧入した際に電線４ａの絶縁被覆を破って内部導体を接触させる圧接スリットが設けられた複数の第１の圧接端子２４を有する端子台２１を具備したモジュラジャック２に電線４ａを結線するための結線用工具１であって、手で把持される長尺の把持部１０と、把持部１０の前端に設けられるとともに第１の圧接端子２４に電線４ａを圧入するための一対の第１の結線用リブ１１ａを有する成端部１１とを備え、成端部１１と把持部１０とが成端部１１の圧入方向に沿って互いに段違いであって且つ把持部１０が成端部１１の圧入向きと反対向きに位置するように配設した。【選択図】図１
2010103017.tif 000002
【特許請求の範囲】
【請求項１】
複数本の電線を同一シースに被覆して成るモジュラケーブルの電線を圧入した際に電線の絶縁被覆を破って内部導体を接触させる圧接スリットが設けられた複数の第１の圧接端子を有する端子部を具備したモジュラジャックに電線を結線するための結線用工具であって、手で把持される長尺の把持部と、把持部の長手方向の一端側に設けられるとともにモジュラジャックの端子部の第１の圧接端子に電線を圧入するための第１の結線用リブを有する成端部とを備え、成端部と把持部とが成端部の圧入方向に沿って互いに段違いであって且つ把持部が成端部の圧入向きと反対向きに位置するように配設されたことを特徴とする結線用工具。
【請求項２】
前記把持部の長手方向の他端側には、モジュラジャックに係止固定されて端子部を覆うキャップの係止を解除するとともにキャップを保持するキャップ保持部が設けられたことを特徴とする請求項１記載の結線用工具。
【請求項３】
前記成端部は、第１の結線用リブとは異なる第２の結線用リブを備え、第２の結線用リブは、モジュラジャックに差込接続されるとともに複数本の電線を同一のシースに被覆して成るモジュラケーブルが接続され、且つ前記第１の圧接端子とは圧入方向及び圧入方向と直交する方向におけるピッチの異なる複数の第２の圧接端子を有する端子部を具備したモジュラプラグに対して用いられ、第２の圧接端子に電線を圧入するために設けられたことを特徴とする請求項１又は２に記載の結線用工具。
【請求項４】
前記把持部には、モジュラプラグに係止固定されて端子部を覆うキャップを仮保持する仮保持部が設けられたことを特徴とする請求項３に記載の結線用工具。
【請求項５】
前記成端部には、モジュラジャックが具備する複数の第１の圧接端子と各々対向するように複数の第１の結線用リブが配設されたことを特徴とする請求項１乃至４の何れか１項に記載の結線用工具。
【請求項６】
前記成端部には、モジュラプラグが具備する複数の第２の圧接端子と各々対向するように複数の第２の結線用リブが配設されたことを特徴とする請求項３記載の結線用工具。
【請求項７】
前記結線用リブは、圧入方向における長さ寸法が電線の結線作業時に成端部の結線用リブ以外の部位及び把持部とモジュラジャック又はモジュラプラグとが接触しない程度の寸法に形成されたことを特徴とする請求項１乃至６の何れか１項に記載の結線用工具。
【請求項８】
請求項１乃至７の何れか１項に記載の結線用工具を出し入れ可能な開口が設けられたケース本体と、前記開口を開閉自在とする開閉手段とを備えたことを特徴とする収納ケース。
【発明の詳細な説明】
【技術分野】
【０００１】
本発明は、モジュラケーブルの電線をモジュラジャックに結線する際に用いられる結線用工具及びその収納ケースに関する。
【背景技術】
【０００２】
従来から、情報通信用のモジュラケーブル同士を接続するために、絶縁性の樹脂材料で形成されたハウジングと、ハウジングに装着された端子台と、絶縁性の樹脂材料で形成され且つ端子台に係止固定されて端子台を覆うキャップで構成されたモジュラジャックが提供されている。このようなモジュラジャックでは、施工面にモジュラジャックを配設した後にキャップを外して端子台を露出させ、モジュラケーブルの結線作業を行うのが一般的である。この場合、モジュラジャックが壁面等の施工面に配設されている状態では結線作業を行うことが困難であり、また、複数のモジュラジャックを隣接して配設した場合にも、結線作業を行うためのスペースが小さくなるために結線作業を行うことが困難であった。そこで、特許文献１に開示されているような結線用工具を用いて従来結線作業を行っていた。
【０００３】
以下、このような結線用工具の従来例について図面を用いて説明する。この結線用工具は、図１６に示すように、作業者が手のひらで握るための長尺矩形状の把持部１００と、把持部１００の長手方向における一端側に設けられてモジュラケーブルの電線をモジュラジャックの端子台に結線するための成端部１０１と、把持部１００の長手方向における他端側に設けられてモジュラジャックに係止固定されたキャップの係止を解除するとともにキャップを保持するキャップ保持部１０２とから構成される。ここで、モジュラジャックの端子台には、モジュラケーブルの電線を圧入した際に電線の絶縁被覆を破って内部導体を接触させる圧接スリットを有する圧接端子が設けられており、当該圧接端子に電線を圧入するための一対の結線用リブ１０１ａが成端部１０１に突設されている。而して、把持部１００を手で握り、成端部１０１の結線用リブ１０１ａを用いて電線を圧接端子の圧接スリットに圧入することで電線の結線作業を容易に行うことができる。
【特許文献１】特開２００６−２１００７６号公報
【発明の開示】
【発明が解決しようとする課題】
【０００４】
しかしながら、上記従来例では、壁面等の施工面にモジュラジャックを配設した状態で電線の結線作業を行う場合には、把持部が施工面と平行になるために把持部を握る作業者の手がモジュラジャックと当たることで結線作業の妨げとなる虞があった。
【０００５】
本発明は、上記の点に鑑みて為されたもので、把持部を握る作業者の手が結線作業の妨げとなるのを防ぐことができる結線用工具及びその収納ケースを提供することを目的とする。
【課題を解決するための手段】
【０００６】
請求項１の発明は、上記目的を達成するために、複数本の電線を同一シースに被覆して成るモジュラケーブルの電線を圧入した際に電線の絶縁被覆を破って内部導体を接触させる圧接スリットが設けられた複数の第１の圧接端子を有する端子部を具備したモジュラジャックに電線を結線するための結線用工具であって、手で把持される長尺の把持部と、把持部の長手方向の一端側に設けられるとともにモジュラジャックの端子部の第１の圧接端子に電線を圧入するための第１の結線用リブを有する成端部とを備え、成端部と把持部とが成端部の圧入方向に沿って互いに段違いであって且つ把持部が成端部の圧入向きと反対向きに位置するように配設されたことを特徴とする。
【０００７】
請求項２の発明は、請求項１の発明において、把持部の長手方向の他端側には、モジュラジャックに係止固定されて端子部を覆うキャップの係止を解除するとともにキャップを保持するキャップ保持部が設けられたことを特徴とする。
【０００８】
請求項３の発明は、請求項１又は２の発明において、成端部は、第１の結線用リブとは異なる第２の結線用リブを備え、第２の結線用リブは、モジュラジャックに差込接続されるとともに複数本の電線を同一のシースに被覆して成るモジュラケーブルが接続され、且つ前記第１の圧接端子とは圧入方向及び圧入方向と直交する方向におけるピッチの異なる複数の第２の圧接端子を有する端子部を具備したモジュラプラグに対して用いられ、第２の圧接端子に電線を圧入するために設けられたことを特徴とする。
【０００９】
請求項４の発明は、請求項３の発明において、把持部には、モジュラプラグに係止固定されて端子部を覆うキャップを仮保持する仮保持部が設けられたことを特徴とする。
【００１０】
請求項５の発明は、請求項１乃至４の何れか１項の発明において、成端部には、モジュラジャックが具備する複数の第１の圧接端子と各々対向するように複数の第１の結線用リブが配設されたことを特徴とする。
【００１１】
請求項６の発明は、請求項３の発明において、成端部には、モジュラプラグが具備する複数の第２の圧接端子と各々対向するように複数の第２の結線用リブが配設されたことを特徴とする。
【００１２】
請求項７の発明は、請求項１乃至６の何れか１項の発明において、結線用リブは、圧入方向における長さ寸法が電線の結線作業時に成端部の結線用リブ以外の部位及び把持部とモジュラジャック又はモジュラプラグとが接触しない程度の寸法に形成されたことを特徴とする。
【００１３】
請求項８の発明は、請求項１乃至７の何れか１項に記載の結線用工具を出し入れ可能な開口が設けられたケース本体と、前記開口を開閉自在とする開閉手段とを備えたことを特徴とする。
【発明の効果】
【００１４】
請求項１の発明によれば、壁面等の施工面にモジュラジャックを配設した状態で電線の結線作業を行う場合に、把持部が成端部の圧入向きと反対向きに位置することから把持部を握る手がモジュラジャックから離れた位置となるため、把持部を握る作業者の手が結線作業の妨げとなるのを防ぐことができる。
【００１５】
請求項２の発明によれば、電線の結線作業のみならずモジュラジャックのキャップの着脱作業も同一の工具を用いて行うことができるので、複数の工具を必要とせず作業性が向上する。
【００１６】
請求項３の発明によれば、モジュラジャックにおける電線の結線作業のみならずモジュラプラグにおける電線の結線作業も同一の工具を用いて行うことができるので、複数の工具を必要とせず作業性が向上する。
【００１７】
請求項４の発明によれば、モジュラプラグのキャップを取り外した際にキャップを仮保持することができるので、キャップの紛失を防止することができる。
【００１８】
請求項５の発明によれば、モジュラジャックが具備する複数の第１の圧接端子に対して同時に結線作業を行うことができるので、作業性が向上する。
【００１９】
請求項６の発明によれば、モジュラプラグが具備する複数の第２の圧接端子に対して同時に結線作業を行うことができるので、作業性が向上する。
【００２０】
請求項７の発明によれば、電線の結線作業時に成端部の結線用リブ以外の部位及び把持部がモジュラジャック又はモジュラプラグと接触するのを防ぐことができ、作業性が向上する。
【００２１】
請求項８の発明によれば、結線用工具が傷ついたり衝撃によって破損したりするのを防ぐことができる。
【発明を実施するための最良の形態】
【００２２】
（実施形態１）
以下、本発明に係る結線用工具の実施形態１について図面を用いて説明する。尚、以下の説明では、図１における上下左右を上下左右方向、把持部１０の長手方向における紙面手前側を前方向、紙面奥側を後方向と定めるものとする。本実施形態は、図１に示すように、後述するモジュラジャック２及びモジュラプラグ３に電線４ａを結線するための結線用工具１であって、作業者の手で把持される長尺の把持部１０と、把持部１０の前端部に設けられるとともに後述するモジュラジャック２の端子台２１の第１の圧接端子２４に電線４ａを圧入するための一対の第１の結線用リブ１１ａ、及び後述するモジュラプラグ３の端子ハウジング３１の第２の圧接端子に電線４ａを圧入するための一対の第２の結線用リブ１１ｂを有する成端部１１と、把持部１０の後端部に設けられるとともに後述するモジュラジャック２のキャップ２２を保持するキャップ保持部１２とを備える。先ず、モジュラジャック２及びモジュラプラグ３について図面を用いて説明する。
【００２３】
モジュラジャック２は、複数本の電線４ａを同一シースに被覆して成る情報通信用のモジュラケーブル４（図８（ｂ）参照）同士を接続するために使用されるもので、図８（ａ）に示すように、絶縁性の樹脂材料で形成された箱形のハウジング２０と、ハウジング２０の後側の内部に装着された端子部である端子台２１と、絶縁性の樹脂材料で形成され且つ端子台２１に係止固定されて端子台２１を覆うキャップ２２とを備える。
【００２４】
ハウジング２０は、その前端部に略直方体状の接続台２０ａを備えており、接続台２０ａの前面に後述するモジュラプラグ３が挿入されるプラグ挿入孔２０ｂが開口している。接続台２０ａの後面下部からは、端子台２１が装着される基台２０ｃが後方へ連続一体に突設されている。
【００２５】
端子台２１は、基台２０ｃの上側に配設されており、後述するモジュラプラグ３の接触子（図示せず）に接触可能なように複数本（本実施形態では８本）の線状のコンタクト２３が配設されるとともに、各コンタクト２３に各々電気的に接続され、絶縁被覆された電線４ａが接続される複数（本実施形態では８つ）の第１の圧接端子２４が立設されている（図２参照）。各第１の圧接端子２４は、端子台２１の上面から突出するように端子台２１の左右両側部において４つずつ、前後方向に沿って配置されている。第１の圧接端子２４は、それぞれ上端が開放された圧接スリットを有するように略フォーク状に形成されており、圧接スリットの幅は、接続される電線４ａの内部導体に圧接スリットの両側縁が圧接する程度に設定されている。この圧接スリットに電線４ａを上方から圧入すると、電線４ａの絶縁被覆が圧接スリットの両側縁で破断され、圧接スリットの中で内部導体が第１の圧接端子２４に圧接される。
【００２６】
端子台２１上面の両側部には、第１の圧接端子２４よりも更に突出した複数（本実施形態では左右に５つずつ）の保護壁２５が形成されている。前後方向に隣り合う各一対の保護壁２５の対向面の略中央部には、それぞれ保持溝２５ａが上下方向に沿って形成されており、第１の圧接端子２４は保持溝２５ａに保持されている。このため、第１の圧接端子２４は前後に隣り合う２つの保護壁２５によって保護され、圧接スリットは２つの保護壁２５の間に配設されることとなる。尚、前後方向に隣り合う保持溝２５ａ同士は一つ飛ばしで一列となるように左右方向に互い違いに配置されている（図８（ｂ）参照）。前後方向に隣り合う各一対の保護壁２５の隙間は、電線４ａが挿入できる程度に且つ圧接スリットの幅寸法に比べて広く設定されている。更に、保護壁２５の上端部には上部ほど隙間が広くなるように傾斜面が形成されている。而して、電線４ａを各一対の保護壁２５の隙間に容易に導入することができる。そして、電線４ａを第１の圧接端子２４の圧接スリットに上方から圧入することにより、電線４ａを第１の圧接端子２４に電気的に接続することができる。
【００２７】
前後方向における中央部に位置する左右両側の保護壁２５の外側面には、キャップ２２が係止される係止爪２５ｂが突設されている。また、係止爪２５ｂの上部には、上端縁に近付くほど外側面からの突出量が小さくなるように傾斜した誘導面２５ｃが形成されている。一方、キャップ２２は端子台２１の上面を覆う程度の寸法に形成され、図４（ａ），（ｂ）に示すように、キャップ２２の左右両側部には、各保護壁２５の外側面に沿って嵌装される側壁２２ａが一体に形成されている。側壁２２ａの前後方向における中央部には、係止爪２５ｂと係止される略矩形状の係止孔２２ｂが貫設されている。また、各側壁２２ａには、係止孔２２ｂを挟むように切込溝（図示せず）が形成されており、切込溝間の部位が撓み易くなっている。更に、各側壁２２ａの係止孔２２ｂの上端縁には操作部２２ｃが形成されており、キャップ２２の両側部近傍には、操作部２２ｃを囲むように切り欠き２２ｄが形成されている。各操作部２２ｃにそれぞれ切り欠き２２ｄ側に撓ませるように力を加えると、切込溝間の部位が撓んで係止孔２２ｂを囲む部位が変形する。また、操作部２２ｃには、滑り止めを兼ねた突起２２ｅが突設されている。
【００２８】
キャップ２２を端子台２１に取り付ける場合、側壁２２ａが端子台２１の保護壁２５の外側面に沿うようにして上方から下方に向けてキャップ２２を移動させると、側壁２２ａの切込溝間の部位が係止爪２５ｂの誘導面２５ｃに当接して撓み、係止孔２２ｂに係止爪２５ｂが係止される。而して、キャップ２２が端子台２１に係止固定される。キャップ２２を端子台２１から取り外す場合、各操作部２２ｃに力を加えて切り欠き２２ｄ側に撓ませ、その状態でキャップ２２を上方に引き上げることで係止爪２５ｂと係止孔２２ｂとの係止が解除され、端子台２１からキャップ２２を取り外すことができる。
【００２９】
モジュラプラグ３は、モジュラケーブル４の末端に取り付けられてモジュラジャック２に差込接続されるもので、図３（ａ）に示すように、絶縁性の樹脂材料で形成されてモジュラジャック２のプラグ挿入口２０ｂに挿入されるプラグハウジング３０と、プラグハウジング３０の後方に一体に設けられて複数（本実施形態では８つ）の第２の圧接端子（図示せず）を有する端子部である端子ハウジング３１と、絶縁性の樹脂材料で形成され且つ端子ハウジング３１に係止固定されて端子ハウジング３１を覆うキャップ３２とを備える。
【００３０】
プラグハウジング３０は、下面が開放した断面略コ字形の樋状であって、モジュラジャック２のコンタクト２３と接触導通する複数（本実施形態では８つ）の接触子を有するコンタクトブロック（図示せず）が内部に収納される。また、プラグハウジング３０の上面には、モジュラジャック２のプラグ挿入口２０ｂに挿入された状態で抜け止め（ロック）するロック爪３０ａとロック爪３０ａによるロックを解除するためのロック解除レバー３０ｂが一体に設けられている。
【００３１】
端子ハウジング３１は、プラグハウジング３０の後端面より後方へ突出する矩形平板状の基部３２と、基部３２の左右両端部よりそれぞれ上方へ突設された合計１０個の保持壁３３とを具備している。左側の保持壁３３と右側の保持壁３３とは互いに左右対称に形成され、各々前後方向に隣り合う保持壁３３の間に、上端を開放した合計８個の案内溝３４が上下方向に沿って設けられている。ここで、案内溝３４の前後方向おける幅寸法は、電線４ａが挿入できる程度に且つ後述する圧接スリットの幅寸法に比べて広く設定されている。また、前後方向に隣り合う保持壁３３においては、案内溝３４に臨む側面と底面、上面にそれぞれ開口する保持溝３５が形成されており、合計８個の保持溝３５にそれぞれ第２の圧接端子が挿入され且つ保持される。更に、前後方向における両端と中央を除く２個の保持壁３３上面には、電線４ａを案内溝３４に容易に導入できるように略三角錐形状の案内突起３３ａが突設されている。また、端子ハウジング３１の左右両側面における前端部及び後端部には、それぞれ後述するキャップ３２の係止爪３２ｆが係合する略矩形状の係止溝３６が設けられており、当該係止溝３６に係止爪３２ｆを係合することでキャップ３２が端子ハウジング３１に係止固定される。
【００３２】
第２の圧接端子は、第１の圧接端子と同様にそれぞれ上端が開放された圧接スリットを有するように略フォーク状に形成されており、圧接スリットの幅は、接続される電線４ａの内部導体に圧接スリットの両側縁が圧接する程度に設定されている。この圧接スリットに電線４ａを上方から圧入すると、電線４ａの絶縁被覆が圧接スリットの両側縁で破断され、圧接スリットの中で内部導体が第２の圧接端子に圧接される。尚、モジュラジャック２の保護壁２５の前後方向及び左右方向の寸法、並びに厚み寸法と、モジュラプラグ３の保持壁３３の前後方向及び左右方向の寸法、並びに厚み寸法とが互いに異なるため、第１の圧接端子２４と第２の圧接端子との間では、圧入方向及び圧入方向と直交する方向におけるピッチが異なっている。
【００３３】
キャップ３２は端子ハウジング３１の上面を覆う程度の寸法に形成され、図６（ａ）〜（ｃ）に示すように、端子ハウジング３１の上面を覆う矩形平板状の天板３２ａと、天板３２ａの左右両端縁より下方へ垂下された側板３２ｂと、右側の側板３２ｂの前端部から下方へ垂下されて電線４ａを第２の圧接端子に圧入するために用いられる押圧部３２ｃと、天板３２ａの下面から側板３２ｂの内側面にかけて下方へ突出する複数（本実施形態では８つ）の保護リブ３２ｄとを一体に形成した合成樹脂成形品で構成されている。保護リブ３２ｄは、端子ハウジング３１の案内溝３４に対応する位置において、下縁を開放した縦溝３２ｅを有する略コ字状に形成されている。そして、キャップ３２を端子ハウジング３１に取り付けた際、各保護リブ３２ｄがそれぞれ保持壁３３の左右両側から保持壁３３を跨ぐ形で案内溝３４に嵌合することになり、第２の圧接端子に接続された電線４ａが案内溝３４の外へ出るのを防いでいる。尚、両側板３２ｂの前後両端における下端部には係止爪３２ｆがそれぞれ突設されており、端子ハウジング３１の係止溝３６に係止することでキャップ３２が端子ハウジング３１に係止固定される。
【００３４】
次に、結線用工具１について図面を用いて説明する。把持部１０は、図１に示すように、前後方向に沿って長尺な５つの突条１０ａ〜１０ｅを左右方向において等間隔に配置して成り、各突条１０ａ〜１０ｅは下底部１０ｆと一体に形成されている（図６（ｂ）参照）。把持部１０の上側には、モジュラプラグ３のキャップ３２を仮保持するための仮保持部１３が設けられている。
【００３５】
仮保持部１３は、図６（ａ）〜（ｃ）に示すように、突条１０ａ，１０ｂ間の溝と突条１０ｄ，１０ｅ間の溝とにそれぞれキャップ３２の両側板３２ｂを圧入することでキャップ３２を仮保持するもので、突条１０ｂの外側面と突条１０ｄの外側面との間の長さ寸法がキャップ３２の両側板３２ｂ間の長さ寸法よりも僅かに長く設定されている。而して、キャップ３２の両側板３２ｂを仮保持部１３の前記溝に圧入すると、キャップ３２の両側板３２ｂが突条１０ｂ，１０ｄの各外側面と当接して外側に撓み、キャップ３２が仮保持される。尚、突条１０ｂ，１０ｄの外側面には、図１に示すようにキャップ３２を圧入した際に係止爪３２ｆを逃がすための切り欠き１０ｇがそれぞれ設けられている。
【００３６】
上述のように、モジュラプラグ３のキャップ３２を取り外した際にキャップ３２を結線用工具１の仮保持部１３に圧入することで仮保持することができるので、キャップ３２の紛失を防止することができる。
【００３７】
成端部１１は、図１に示すように、把持部１０に対して所定の角度を有する天井部１１ｃと、天井部１１ｃ前端部の左右両端部から下方に向けて突設される一対の第２の結線用リブ１１ｂと、天井部１１ｃ前端部から下方に向け且つ各第２の結線用リブ１１ｂに挟まれる形で突設される一対の第１の結線用リブ１１ａとから構成される。第１の結線用リブ１１ａ及び第２の結線用リブ１１ｂは、何れも下端が開口した有底角筒状に形成され、その下端側における前後面にはそれぞれ下縁が開放された略逆Ｕ字状の第１のスリット１１ｄ，第２のスリット１１ｅが設けられている。
【００３８】
第１のスリット１１ｄは、第１の結線用リブ１１ａをモジュラジャック２の端子台２１の任意の保護壁２５に挿入する際に、第１の圧接端子２４と対向する位置に設けられ、挿入時に第１の結線用リブ１１ａが第１の圧接端子２４と接触しないように逃がす役割を果たす。第２のスリット１１ｅは、第２の結線用リブ１１ｂをモジュラプラグ３の端子ハウジング３１の任意の保持壁３３に挿入する際に、第２の圧接端子と対向する位置に設けられ、挿入時に第２の結線用リブ１１ｂが第２の圧接端子と接触しないように逃がす役割を果たす。
【００３９】
以下、結線用工具１を用いたモジュラプラグ３における電線４ａの結線作業について図面を用いて説明する。先ず、絶縁被覆された電線４ａをモジュラプラグ３の各案内溝３４に挿入した状態で、結線用工具１の何れか一方の第２の結線用リブ１２ｂをモジュラプラグ３の任意の保持壁３３に挿入する（図３（ａ）参照）。そして、第２の結線用リブ１２ｂを圧入することで、第２の結線用リブ１１ｂの下端部が電線４ａを押圧し、第２の圧接端子の圧接スリットによって絶縁被覆が破られて電線４ａの内部導体が第２の圧接端子に電気的に接続される。この場合、図３（ｂ）に示すように、第２の結線用リブ１１ｂの前壁及び後壁によって計２本の電線４ａの結線作業を同時に行うことができる。
【００４０】
また、モジュラジャック２においても同様に結線用工具１を用いて電線４ａの結線作業を行うことができる。即ち、絶縁被覆された電線４ａをモジュラジャック２の前後方向に隣り合う各保護壁２５間に挿入した状態で、結線用工具１の一対の第１の結線用リブ１１ａをモジュラジャック２の任意の一対の保護壁２５に挿入して圧入することで、第１の結線用リブ１１ａの下端部が電線４ａを押圧し、第１の圧接端子２４の圧接スリットによって絶縁被覆が破られて電線４ａの内部導体が第１の圧接端子２４に電気的に接続される。この場合、各第１の結線用リブ１１ａの前壁及び後壁によって計４本の電線４ａの結線作業を同時に行うことができる。
【００４１】
上述のように、本実施形態ではモジュラジャック２における電線４ａの結線作業のみならずモジュラプラグ３における電線４ａの結線作業も同一の結線用工具１を用いて行うことができるので、複数の工具を必要とせず作業性が向上する。尚、第１の結線用リブ１１ａ及び第２の結線用リブ１１ｂは、何れもその圧入方向（上下方向）における長さ寸法が電線４ａの結線作業時に成端部１１の結線用リブ１１ａ，１１ｂ以外の部位及び把持部１０とモジュラジャック２又はモジュラプラグ３とが接触しない程度の寸法に形成されている。而して、電線４ａの結線作業時に成端部１１の結線用リブ１１ａ，１１ｂ以外の部位及び把持部１０がモジュラジャック２又はモジュラプラグ３と接触するのを防ぐことができ、作業性が向上する。また、図７（ａ），（ｂ）に示すように、モジュラジャック２又はモジュラプラグ３に対して前側からでも後側からでも結線用工具１を用いて電線４ａの結線作業を行うことができる。
【００４２】
キャップ保持部１２は、図１に示すように、モジュラジャック２のキャップ２２の前面若しくは後面と当接する主壁１２ａと、キャップ２２の両側壁２２ａに当接される側壁１２ｂと、把持部１０と所定の角度を有するとともにキャップ２２の上面と当接する天井部１２ｃとから構成される。主壁１２ａは、端子台２１に取り付けられたキャップ２２の上からキャップ保持部１２を装着させる際のガイドとして機能する。各側壁１２ｂには、図４（ａ）に示すように内面の下端から上下方向における略中央部にかけて天井部１２ｃに近付くにつれて互いの間隔が狭くなるように第１の傾斜面１２ｄが形成されている。また、各側壁１２ｂ内面の上下方向における略中央部から上端にかけて天井部１２ｃに近付くにつれて互いの間隔が狭くなり且つ第１の傾斜面１２ｄ同士の間隔よりも広くなるように第２の傾斜面１２ｅが形成されている。即ち、第２の傾斜面１２ｅを基準にすると、第１の傾斜面１２ｄは第２の傾斜面１２ｅよりも内側に突出している。第１の傾斜面１２ｄ同士の間隔で最も狭い部分の長さ寸法は、キャップ２２の操作部２２ｃ間の長さ寸法よりも狭くなるように設定されている。尚、第１の傾斜面１２ｄは、操作部２２ｃと対応する部位にのみ形成されている。
【００４３】
モジュラジャック２の端子台２１からキャップ２２を取り外す場合、先ず、キャップ２２に外側からキャップ保持部１２を装着させる。その際、キャップ保持部１２の各側壁１２ｂの第１の傾斜面１２ｄがキャップ２２の操作部２２ｃに当接し、その傾斜に応じて徐々に操作部２２ｃを弾性変形させる。そして操作部２２ｃの突起２２ｅが第１の傾斜面１２ｄを乗り越えると、図４（ｂ）に示すように、キャップ２２にキャップ保持部１２が装着される。ここで、突起２２ｅはキャップ保持部１２の側壁１２ｂの第２の傾斜面１２ｅに対向する位置にあり、第２の傾斜面１２ｅに対して突出した第１の傾斜面１２ｄのエッジ部分が突起２２ｅと係合するフックとして機能する。また、操作部２２ｃは端子台２１の係止爪２５ｂがキャップ２２の係止孔２２ｂから離脱可能な程度に変形されている。
【００４４】
而して、図５（ｃ）に示すように、キャップ２２にキャップ保持部１２が装着された状態で作業者がモジュラジャック２を保持し、他方の手で把持部１０を握ってモジュラジャック２から把持部１０を引き離す方向（同図の矢印参照）に力を加えると、端子台２１の係止爪２５ｂとキャップ２２の係止孔２２ｂとの係止が解除されてキャップ２２をモジュラジャック２の端子台２１から取り外すことができる。
【００４５】
尚、上記のようにキャップ保持部１２を用いてキャップ２２を取り外した場合には、操作部２２ｃの突起２２ｅと第１の傾斜面１２ｄのエッジ部分とが係合しているためにキャップ２２はキャップ保持部１２に保持される。このため、キャップ２２に対して天井部１２ｃと垂直な方向に力を加えてキャップ２２をキャップ保持部１２から引き離そうとしても、キャップ２２をキャップ保持部１２から取り外すことができない。そこで、キャップ２２をキャップ保持部１２から取り外す場合には、キャップ２２を天井部１２ｃに沿って主壁１２ａと反対側にスライドさせる。このように操作することで、操作部２２ｃの突起２２ｅと第１の傾斜面１２ｄのエッジ部分との係合が解除され、キャップ２２をキャップ保持部１２から取り外すことができる。
【００４６】
上述の操作を利用すれば、結線用工具１を用いてキャップ２２をモジュラジャック２の端子台２１に装着する作業も行うことができる。即ち、図５（ａ），（ｂ）に示すように、キャップ２２がキャップ保持部１２に保持された状態でキャップ２２を端子台２１に装着し、キャップ保持部１２を天井部１２ｃに沿って主壁１２ａがキャップ２２から離れる向き（図５（ｄ）の矢印参照）にスライドさせるように把持部１０に力を加えることで、操作部２２ｃの突起２２ｅと第１の傾斜面１２ｄのエッジ部分との係合が解除され、キャップ２２をキャップ保持部１２から取り外すことができる。この際、取り外されたキャップ２２は作業者の手で直接装着する場合と同様に端子台２１に確実に装着される。
【００４７】
上述のように、電線４ａの結線作業のみならずモジュラジャック２のキャップ２２の着脱作業も同一の結線用工具１を用いて行うことができるので、複数の工具を必要とせず作業性が向上する。
【００４８】
ところで、本実施形態では図１に示すように、成端部１１と把持部１０とが成端部１１の圧入方向（前後方向）に沿って互いに段違いであって且つ把持部１０が成端部１１の圧入向きと反対向きに位置するように配設されている。而して、図２に示すように、壁面Ａ等の施工面にモジュラジャック２又はモジュラプラグ３を配設した状態で電線４ａの結線作業を行う場合に、把持部１０が成端部１１の圧入向きと反対向きに位置することから把持部１０を握る作業者の手がモジュラジャック２又はモジュラプラグ３から離れた位置となるため、把持部１０を握る作業者の手が結線作業の妨げとなるのを防ぐことができる。
【００４９】
尚、本実施形態では、図１に示すように、把持部１０の前端に成端部１１を、後端にキャップ保持部１２を備えるとともに、成端部１１が下向きの場合にはキャップ保持部１２が上向きとなるように互いに逆向きに配設している。したがって、成端部１１とキャップ保持部１２と何れを使用する場合であっても把持部１０が成端部１１又はキャップ保持部１２の作業向きと反対向きに位置するため、作業者の手が結線作業の妨げとなるのを防ぐことができる。
【００５０】
（実施形態２）
以下、本発明に係る結線用工具の実施形態２について図面を用いて説明する。但し、本実施形態の基本的な構成は実施形態１と共通であるので、共通する部位には同一の番号を付して説明を省略するものとする。本実施形態は、図８（ａ），（ｂ）に示すように、成端部１１の天井部１３ｃの前端側だけでなく、後端側にも一対の第１の結線用リブ１１ａ及び一対の第２の結線用リブ１１ｂを設けたことに特徴がある。而して、図８（ａ），（ｂ）に示すように、結線用工具１を用いてモジュラジャック２における電線４ａの結線作業を行う場合には、２対の第１の結線用リブ１１ａを用いて計８本の電線４ａの結線作業を同時に行うことができ、作業性が向上する。また、図９（ａ），（ｂ）に示すように、結線用工具１を用いてモジュラプラグ３における電線４ａの結線作業を行う場合には、左右何れか一方の側の一対の第２の結線用リブ１１ｂを用いて計４本の電線４ａの結線作業を同時に行うことができ、作業性が向上する。
【００５１】
以下、上記各実施形態の結線用工具１を収納する収納ケース５の実施形態について図面を用いて説明する。尚、以下の説明では、図１０（ａ）における上下を上下方向、右側を前方向、左側を後方向と定めるものとする。本実施形態は、図１０（ａ）〜（ｃ）に示すように、上記各実施形態の結線用工具１を出し入れ可能な開口５０ａが設けられたケース本体５０と、前記開口５０ａを開閉自在とする開閉手段である線ファスナー５１とから構成される。
【００５２】
ケース本体５０は、例えばプラスチック、皮、ビニル等の材料から結線用工具１が収納できる程度の大きさで箱形に形成され、その上面には長手方向に沿って開口５０ａが設けられている。線ファスナー５１は、ケース本体５０の開口５０ａの内側縁の全周に亘って設けられた櫛歯状のエレメント５１ａと、開口５０ａの長手方向に沿って摺動し対向するエレメント同士を嵌合自在とするスライダ５１ｂとから構成される。而して、スライダ５１ｂを摺動させることでケース本体５０の開口５０ａを自在に開閉することができる。このように、上記各実施形態の結線用工具１を収納ケース５に収納することで、結線用工具１が傷ついたり衝撃によって破損したりするのを防ぐことができる。
【００５３】
尚、収納ケース５の構成は上記のものに限定される必要は無く、他の構成として以下に示すものがある。図１１（ａ）〜（ｃ）に示す収納ケース５は、ケース本体５０上面の全体に亘って開口５０ａが設けられ、当該開口５０ａを覆う開閉手段である蓋部５２がケース本体５０と一体に設けられている。蓋部５２は略矩形状に形成され、開口５０ａ全面を覆う主部５２ａと、主部５２ａの前端縁と一体に設けられてケース本体５０の前面の一部を覆う側部５２ｂとから成る。側部５２ｂには、ケース本体５０に設けられた受け具（図示せず）と嵌合自在なボタン５２ｃが取り付けられており、ボタン５２ｃを受け具に嵌合することでケース本体５０の開口５０ａを閉塞することができる。
【００５４】
図１２（ａ）〜（ｃ）に示す収納ケース５は、ケース本体５０上面の全体に亘って開口５０ａが設けられ、当該開口５０ａを覆う開閉手段である蓋体５３がケース本体５０とは別体に設けられている。蓋体５３は、ケース本体５０と同材料から成り、開口５０ａ及びケース本体５０の側面の一部を覆うように下面を開口した箱形に形成されている。而して、蓋体５３をケース本体５０に被せることでケース本体５０の開口５０ａを閉塞することができる。
【００５５】
図１３（ａ）〜（ｃ）に示す収納ケース５は、ケース本体５０上面の全体に亘って開口５０ａが設けられ、当該開口５０ａを覆う開閉手段である蓋体５４がケース本体５０と一体に設けられている。蓋体５４は、開口５０ａ及びケース本体５０の側面の一部を覆うように後面及び下面を開口した箱形から成り、その上面における後端縁がケース本体５０の上面における後端縁と一体に形成されている。また、蓋体５４の前面には、ケース本体５０に設けられた受け具（図示せず）と嵌合自在なホック５４ａが取り付けられており、ホック５４ａを受け具に嵌合することでケース本体５０の開口５０ａを閉塞することができる。
【００５６】
図１４（ａ）〜（ｃ）に示す収納ケース５は、ケース本体５０が上面全体に開口５０ａが設けられた長尺の有底角筒状に形成されており、開口５０ａを覆う開閉手段である蓋部５５がケース本体５０と一体に設けられている。蓋部５５は略矩形状に形成され、開口５０ａ全面を覆う主部５５ａと、主部５５ａの前端縁と一体に設けられてケース本体５０の前面の一部を覆う側部５５ｂとから成る。側部５５ｂには、ケース本体５０に設けられた受け具（図示せず）と嵌合自在なボタン５５ｃが取り付けられており、ボタン５５ｃを受け具に嵌合することでケース本体５０の開口５０ａを閉塞することができる。
【００５７】
図１５（ａ）〜（ｃ）に示す収納ケース５は、ケース本体５０上面の全体に亘って開口５０ａが設けられ、当該開口５０ａを覆う開閉手段である蓋部５６がケース本体５０と一体に設けられている。蓋部５６は略矩形状に形成され、開口５０ａ全面を覆う主部５６ａと、主部５６ａの前端縁と一体に設けられてケース本体５０の前面の一部を覆う側部５６ｂとから成る。側部５６ｂの長手方向における両端部には、例えばマジックテープ（登録商標）等の面ファスナーのフック部５６ｃが設けられており、ケース本体５０前面においてフック部５６ｃと対向して設けられたループ部（図示せず）と着脱自在に面結合するようになっている。尚、ループ部を側部５６ｂに、フック部５６ｃをケース本体５０に設けても構わない。
【図面の簡単な説明】
【００５８】
【図１】本発明に係る結線用工具の実施形態１を示す斜視図である。
【図２】同上をモジュラジャックに対して使用している状態の側面図である。
【図３】同上の第２の結線用リブの使用方法を示す図で、（ａ）は第２の結線用リブを挿入する前の状態を示す斜視図で、（ｂ）は第２の結線用リブを挿入した状態を示す断面図である。
【図４】同上のモジュラジャックのキャップの取り外し方法を示す図で、（ａ）はキャップ着脱部を装着する前の状態を示す断面図で、（ｂ）はキャップ着脱部を装着した状態を示す断面図である。
【図５】同上のキャップ着脱部からモジュラジャックのキャップを取り外す方法を示す図で、（ａ）はキャップ着脱部をスライドさせる前の状態を示す側面図で、（ｂ）はキャップ着脱部をスライドさせた状態を示す側面図で、（ｃ），（ｄ）はキャップの着脱を示す斜視図である。
【図６】同上の仮保持部を示す図で、（ａ）はモジュラジャックのキャップの仮保持状態を示す斜視図で、（ｂ）はキャップを仮保持部に取り付ける前の状態を示す断面図で、（ｃ）はキャップを仮保持部に取り付けた状態を示す断面図である。
【図７】（ａ），（ｂ）は同上の各結線用リブの上下方向の寸法の説明図である。
【図８】本発明に係る結線用工具の実施形態２を示す図で、（ａ）は第１の結線用リブを挿入する前の状態を示す斜視図で、（ｂ）は第１の結線用リブを挿入した状態を示す断面図である。
【図９】同上の第２の結線用リブの使用方法を示す図で、（ａ）は第２の結線用リブを挿入する前の状態を示す斜視図で、（ｂ）は第２の結線用リブを挿入した状態を示す断面図である。
【図１０】（ａ）〜（ｃ）は本発明に係る収納ケースの実施形態を示す図である。
【図１１】（ａ）〜（ｃ）は同上の蓋部をボタンで留める構成を示す図である。
【図１２】（ａ）〜（ｃ）は同上の別部材として蓋体を設けた構成を示す図である。
【図１３】（ａ）〜（ｃ）は同上の蓋体をホックで留める構成を示す図である。
【図１４】（ａ）〜（ｃ）は同上の蓋部をボタンで留める他の構成を示す図である。
【図１５】（ａ）〜（ｃ）は同上の蓋部を面ファスナーで留める構成を示す図である。
【図１６】従来の結線用工具を示す概略図である。
【符号の説明】
【００５９】
１  結線用工具
１０  把持部
１１  成端部
１１ａ  第１の結線用リブ
【図１】
2010103017.tif 000003
【図２】
2010103017.tif 000004
【図３】
2010103017.tif 000005
【図４】
2010103017.tif 000006
【図５】
2010103017.tif 000007
【図６】
2010103017.tif 000008
【図７】
2010103017.tif 000009
【図８】
2010103017.tif 000010
【図９】
2010103017.tif 000011
【図１０】
2010103017.tif 000012
【図１１】
2010103017.tif 000013
【図１２】
2010103017.tif 000014
【図１３】
2010103017.tif 000015
【図１４】
2010103017.tif 000016
【図１５】
2010103017.tif 000017
【図１６】
2010103017.tif 000018